(57)【要約】【課題】輝度と効率とが向上し、既存のデルタ構造に比べてコントラスト比が向上するようなプラズマディスプレイパネルを提供する。【解決手段】本発明の実施例１に係るプラズマディスプレイパネルは、四角形のセルがデルタ型の隔壁構造をなすプラズマディスプレイパネルにおいて、前記セルの１番目の水平セルラインはレッドセルとグリーンセルとが交互に形成され、前記セルの２番目の水平セルラインには、前記レッドセルとグリーンセルとの間の中央下部にブルーセルが位置し、前記ブルーセルはブランクセルと交互に形成され、前記１番目の水平セルラインと２番目の水平セルラインとは、垂直方向に交互に形成されることを特徴とする。【選択図】図５
2005100991.tif 000002
【特許請求の範囲】
【請求項１】
四角形のセルがデルタ型の隔壁構造をなすプラズマディスプレイパネルにおいて、
前記セルの１番目の水平セルラインは、レッドセルとグリーンセルとが交互に形成され、前記セルの２番目の水平セルラインには、前記レッドセルとグリーンセルとの間の中間下部にブルーセルが位置し、前記ブルーセルはブランクセルと交互に形成され、前記１番目の水平セルラインと２番目の水平セルラインとは、垂直方向に交互に形成されることを特徴とするプラズマディスプレイパネル。
【請求項２】
前記レッドセル、グリーンセル、およびブルーセルは、逆三角形にて一つの画素をなし、前記画素は、水平方向と垂直方向とに平行に形成されることを特徴とする請求項１記載のプラズマディスプレイパネル。
【請求項３】
前記セルの上部には、水平方向に透明電極、前記透明電極の下部にバス電極が形成され、前記レッドセル、グリーンセル、およびブルーセルの垂直線上には、データ電極が形成されることを特徴とする請求項１又は２に記載のプラズマディスプレイパネル。
【請求項４】
前記ブランクセルの垂直線上に、データ電極を更に備えることを特徴とする請求項３記載のプラズマディスプレイパネル。
【請求項５】
四角形のセルがデルタ型の隔壁構造をなすプラズマディスプレイパネルにおいて、
前記セルの１番目の水平セルラインには、レッドセルとグリーンセルとが交互に形成され、前記セルの２番目の水平セルラインには、前記レッドセルとグリーンセルとの間の中間下部にブルーセルが位置し、前記ブルーセルはブラックセルと交互に形成され、前記１番目の水平セルラインと２番目の水平セルラインとは、垂直方向に交互に形成されることを特徴とするプラズマディスプレイパネル。
【請求項６】
前記レッドセル、グリーンセル、およびブルーセルは、逆三角形にて一つの画素をなし、前記画素は、水平方向と垂直方向とに平行に形成されることを特徴とする請求項５記載のプラズマディスプレイパネル。
【請求項７】
前記セルの上部には、水平方向に透明電極、前記透明電極の縁部にバス電極が形成され、前記レッドセル、グリーンセル、およびブルーセルの垂直線上には、データ電極が形成されることを特徴とする請求項５記載のプラズマディスプレイパネル。
【請求項８】
前記ブラックセルの垂直線上にデータ電極を更に備えることを特徴とする請求項７記載のプラズマディスプレイパネル。
【請求項９】
四角形のセルがデルタ型の隔壁構造をなすプラズマディスプレイパネルであって、
交互に形成されたレッドセルとグリーンセルとを含む第１の水平セルラインと、
垂直方向に沿って前記第１の水平セルラインと交互に配置された第２の水平セルラインであって、複数のブルーセルを含み、各ブルーセルが所定の間隔を持って離間しかつ前記レッドセルと前記グリーンセルとの間の中間下部に位置する第２の水平セルラインと、
を備えることを特徴とするプラズマディスプレイパネル。
【請求項１０】
前記所定の間隔は、前記ブルーセルの水平方向の長さであることを特徴とする、請求項９に記載のプラズマディスプレイパネル。
【請求項１１】
前記第２の水平セルラインは、水平方向に沿って前記ブルーセルと交互に形成されたブランクセル又はブラックセルを含むことを特徴とする、請求項９又は１０に記載のプラズマディスプレイパネル。
【発明の詳細な説明】
【技術分野】
【０００１】
本発明は、プラズマディスプレイパネルに係り、より詳細には、プラズマディスプレイパネルのセル構造に関する。
【背景技術】
【０００２】
図１は従来のプラズマディスプレイパネルのストライプ型の隔壁構造を示す図である。図２は従来のプラズマディスプレイパネルの井戸型の隔壁構造を示す図である。図１に示したストライプ型構造の場合、排気は容易であるが、蛍光体の塗布面積が少ないといった短所を有しており、図２に示した井戸型構造の場合は、蛍光体の塗布面積が大きくて輝度が増大され得るが、排気が容易ではないといった問題点がある。
【０００３】
図３は従来のプラズマディスプレイパネルのデルタ型の隔壁構造を示す図である。図３に示すように、デルタ型の隔壁構造は、一つのセルが６面で取り囲まれて蛍光体の塗布面積が増加し、障壁の反射度の増加によって輝度が向上し、各カラーは狭いチャンネルで連結されていて排気やガスの注入を円滑にすることができる。また、狭いチャンネルでの放電開始電圧が広いチャンネルに比べて高いので、隔壁方向のクロストークを防止できるという長所を有している。また、隔壁の製造方法や駆動方式は既存のものと同じであり、追加的な過程を伴わずに輝度および効率の増加を得ることができる。
【０００４】
図４は従来のプラズマディスプレイパネルの四角形の隔壁構造を示す図である。図４の隔壁構造は、図３の隔壁構造に類似しているが、セルの形状が四角形であることが異なる。図４の四角形の隔壁構造は、デルタ型の隔壁構造と同様に、レッド、グリーン、ブルーのセルが三角形の配列をなしながら一つのセルを形成している。図４の四角形の隔壁構造は、開口率と蛍光体の塗布面積との増加により、輝度と効率とが増加するという点においては、図３のデルタ型の隔壁構造と同じである。
【０００５】
しかし、図３および図４の隔壁構造は、セルが横に長く広がっているような形態をしているので、停止画面を具現するとき、対角線の方向への具現が円滑でないので、画質の低下をきたすような問題点を抱えている。
【発明の開示】
【発明が解決しようとする課題】
【０００６】
本発明は、かかる従来の問題点を解決するためのもので、その目的は、輝度と効率とが向上し、既存のデルタ構造に比べてコントラスト比が向上するようなプラズマディスプレイパネルを提供することにある。
【課題を解決するための手段】
【０００７】
本発明に係るプラズマディスプレイパネルは、四角形のセルがデルタ型の隔壁構造をなすプラズマディスプレイパネルであって、第１の水平セルラインと第２の水平セルラインとを備えることを特徴とする。第１の水平セルラインは、交互に形成されたレッドセルとグリーンセルとを含む。第２の水平セルラインは、垂直方向に沿って前記第１の水平セルラインと交互に配置されている。また、第２の水平セルラインは、複数のブルーセルを含む。また、各ブルーセルは、所定の間隔を持って離間しており、前記レッドセルと前記グリーンセルとの間の中間下部に位置している。
【０００８】
本発明の実施例１に係るプラズマディスプレイパネルは、四角形のセルがデルタ型の隔壁構造をなすプラズマディスプレイパネルにおいて、前記セルの１番目の水平セルラインは、レッドセルとグリーンセルが交互に形成され、前記セルの２番目の水平セルラインには、前記レッドセルとグリーンセルとの間の中央下部にブルーセルが位置し、前記ブルーセルはブランクセルと交互に形成され、前記１番目の水平セルラインと２番目の水平セルラインとは、垂直方向に交互に形成されることを特徴とする。
【０００９】
本発明の実施例２に係るプラズマディスプレイパネルは、四角形のセルがデルタ型の隔壁構造をなるプラズマディスプレイパネルにおいて、前記セルの１番目の水平セルラインには、レッドセルとグリーンセルとが交互に形成され、前記セルの２番目の水平セルラインには、前記レッドセルとグリーンセルとの間の中央下部にブルーセルが位置し、前記ブルーセルはブラックセルと交互に形成され、前記１番目の水平セルラインと２番目の水平セルラインとは、垂直方向に交互に形成されることを特徴とする。
【発明の効果】
【００１０】
本発明に係るプラズマディスプレイパネルは、輝度、効率、コントラスト比が向上しており、高速駆動が可能である。
【発明を実施するための最良の形態】
【００１１】
以下、添付の図面を参照して本発明の好適な実施例を詳細に説明する。
＜第１実施例＞
本発明の実施例１に係るプラズマディスプレイパネルは、四角形のセルがデルタ型の隔壁構造をなすプラズマディスプレイパネルにおいて、前記セルの１番目の水平セルラインは、レッドセルとグリーンセルとが交互に形成され、前記セルの２番目の水平セルラインには、前記レッドセルとグリーンセルとの間の中央下部にブルーセルが位置し、前記ブルーセルはブランクセルと交互に形成され、前記１番目の水平セルラインと２番目の水平セルラインとは、垂直方向に沿って交互に形成されることを特徴とする。
【００１２】
また、前記レッドセル、グリーンセル、およびブルーセルは、逆三角形にて一つの画素をなり、前記画素は、水平方向と垂直方向とに平行に形成されることを特徴とするプラズマディスプレイパネルである。
また、前記セルの上部には、水平方向に透明電極、前記透明電極の下部にバス電極が形成され、前記レッドセル、グリーンセル、およびブルーセルの垂直線上には、データ電極が形成されることを特徴とする。
【００１３】
また、前記ブランクセルの垂直線上には、データ電極を更に備えることを特徴とする。
以下では、添付の図面を参照して本発明の実施例を具体的に説明する。
図５は本発明の実施例１に係るプラズマディスプレイパネルのセル構造の図であって、レッドセル５０１、グリーンセル５０２、およびブルーセル５０３の配列状態が示されている。
【００１４】
図５に示すように、本発明の実施例１に係るプラズマディスプレイパネルのセル構造は、図４の構造、つまり、セルが正三角形と逆三角形とが交互に現れる形態の配置とは異なり、逆三角形が連続して現れる形態にセルが配列される。すなわち、１番目の水平セルラインには、レッドセル５０１とグリーンセル５０２とが交互に形成される。前記２番目の水平セルラインには、前記１番目のラインのレッドセル５０１とグリーンセル５０２との間の中間下部にブルーセル５０３が位置し、前記ブルーセルは蛍光体が塗布されていないセル（以下、ブランクセル５０４という。）と交互に形成される。前記１番目のラインと２番目のラインとは、垂直方向に沿って交互に形成される。
【００１５】
交互に形成された各セルラインのうち、ブルーセル５０１、グリーンセル５０２、およびブルーセル５０３は、逆三角形の形態で一つの画素を形成する。図４のように、正三角形と逆三角形とが交互に現れる形態にセルが配列される場合は、対角線の方向に直線や文字のようなパターンを正確に具現することが困難である。しかしながら、逆三角形が連続して現れる形態にてセルが配置される場合は、ストライプセルの場合と同様の画質を具現することができる。
【００１６】
しかし、図４の構造と比べると、１／４ピクセルが蛍光体のない空の空間に残されてしまい、輝度は図４の構造に比べて１／４程度減少する。しかし、効率の場合は、空のピクセルには電極を設けず電力消費を減らすことができるので、減少しなくなる。輝度も同様に、図４の構造よりは減少するが、ストライプ構造に比べては開口率と蛍光体の利用率とが増加するので、全体として上昇する。
【００１７】
すなわち、ピクセルが正四角形に近いのでセルの開口率が増加し、輝度と効率とが上昇する。
図６は本発明の実施例１に係るプラズマディスプレイパネルの電極配置構成図である。図６に示すように、本発明の実施例１に係るプラズマディスプレイパネルは、第１のＩＴＯ電極７０２ａ、第２のＩＴＯ電極７０２ｂ、第１のバス電極７０１ａ、第２のバス電極７０１ｂ、およびデータ電極７０３を含む。また、前記第１のＩＴＯ電極７０２ａと第２のＩＴＯ電極７０２ｂとは、セルの水平隔壁に沿って形成され、前記第１のＩＴＯ電極７０２ａと第２のＩＴＯ電極７０２ｂとの縁部には、ＩＴＯの高い抵抗を補償するために第１のバス電極７０１ａと第２のバス電極７０１ｂとが形成される。
【００１８】
前記データ電極７０３は、セルの垂直ラインに沿って形成される。前記データ電極７０３は、レッドセル５０１の垂直ライン、グリーンセル５０２の垂直ライン、およびブルーセル５０３の垂直ラインにのみ形成される。すなわち、ブランクセル５０４（ブラックセル６０１の場合も同様である。）では、データ電極７０３を取り除いて不要な電力消耗をなくす。
【００１９】
図７は本発明の実施例１に係るプラズマディスプレイパネルの他の電極配置構成図である。図７に示すように、電極配置は図７の構造に類似しているが、ブランクセル（または、ブラックセル）にも他のセルと同様に、第１のＩＴＯ電極７０２ａ、第２のＩＴＯ電極７０２ｂ、第１のバス電極７０１ａ、第２のバス電極７０１ｂ、およびブランクセルのデータ電極７０４を設けた構造を示す。これは、ブランクセル（または、ブラックセル）のデータ電極７０４には常にデータパルスを印可し、アドレス放電を起こし、周辺のセルにプライミング分子を供給して高速駆動ができるようにする。この場合、既存のデルタ構造に比べて電力消費は等しくなるが、輝度が２５％減少し、輝度と効率との面においては不利である。ところが、ｈｉｇｈＸｅが使用可能であるので、減少した分を補償することができ、ストライプ構造に比べては格段に良い輝度と効率とを維持することができる。
【００２０】
＜実施例２＞
本発明の実施例２に係るプラズマディスプレイパネルは、四角形のセルがデルタ型の隔壁構造をなすプラズマディスプレイパネルにおいて、前記セルの１番目の水平セルラインには、レッドセルとグリーンセルとが交互に形成され、前記セルの２番目の水平セルラインには、前記レッドセルとグリーンセルとの間の中央下部にブルーセルが位置し、前記ブルーセルはブラックセルと交互に形成され、前記一番面の水平セルラインと２番目の水平セルラインとは、垂直方向に沿って交互に形成されることを特徴とする。
【００２１】
また、前記レッドセル、グリーンセル、およびブルーセルは逆三角形になって一つの画素をなし、前記画素は水平方向と垂直方向とに平行に形成されることを特徴とする。
また、前記セルの上部には、水平方向に透明電極、前記透明電極の縁部にバス電極が形成され、前記レッドセル、グリーンセル、およびブルーセルの垂直線上には、データ電極が形成されることを特徴とする。
【００２２】
また、前記ブラックセルの垂直線上にデータ電極を更に備えることを特徴とする。
図８は本発明の実施例２に係るプラズマディスプレイパネルのセル構造を示す図である。
図８に示すように、実施例２のセル構造は、実施例１のセル構造にほぼ類似しているが、ブランクセルの代わりにブラックセル６０１を含む構造である。上記のように、ブランクセル５０４をブラックセル６０１に置き換えると、外光の反射率を２５％も減らすことができ、白色の隔壁材料を用いてもコントラスト比を増加させることができる。
【００２３】
また、本発明の実施例２においても、実施例１と同様に、図６および図７の電極配置を有するようにすることができ、これは実施例１と同様の效果を奏する。
【図面の簡単な説明】
【００２４】
【図１】従来のプラズマディスプレイパネルのストライプ型の隔壁構造を示す図である。
【図２】従来のプラズマディスプレイパネルの井戸型の隔壁構造を示す図である。
【図３】従来のプラズマディスプレイパネルのデルタ型の隔壁構造を示す図である。
【図４】従来のプラズマディスプレイパネルの四角形の隔壁構造を示す図である。
【図５】本発明の実施例１に係るプラズマディスプレイパネルのセル構造を示す図である。
【図６】本発明の実施例１に係るプラズマディスプレイパネルの電極配置構成図である。
【図７】本発明の実施例１に係るプラズマディスプレイパネルの他の電極配置構成図である。
【図８】本発明の実施例２に係るプラズマディスプレイパネルのセル構造を示す図である。
【図１】
2005100991.tif 000003
【図２】
2005100991.tif 000004
【図３】
2005100991.tif 000005
【図４】
2005100991.tif 000006
【図５】
2005100991.tif 000007
【図６】
2005100991.tif 000008
【図７】
2005100991.tif 000009
【図８】
2005100991.tif 000010